(57)【要約】【課題】操作盤の真後ろに位置したループ状の操作ハンドルが採用された歩行型除雪機であっても、押しボタン式オーガスイッチを見易くすると共に、操作性を向上させること。【解決手段】オーガスイッチ配置面６４は、操作盤６１の後端部で一般操作面６５より下方へ窪ませた位置にある。一般操作面６５に降り積もった雪を払う際、オーガスイッチ配置面６４が窪んでいるので、オーガスイッチ配置面６４に雪を払う手が入らない。結果、オーガスイッチ７１に触れて押すことはない。オーガスイッチ配置面６４は、他の操作部材７３後方に位置し、一般操作面６５よりも後下がりに傾斜している。オーガスイッチ配置面６４は一般操作面６５よりも急角度で後下がりに傾斜するので、降雪時に、オーガスイッチ配置面６４に降った雪が流れ落ちる。【選択図】図３
2014227759.tif 000002
【特許請求の範囲】
【請求項１】
走行装置と、オーガと、該オーガをオン・オフ操作する押しボタン式のオーガスイッチと、該オーガスイッチ及び除雪用の他の操作部材を有した操作盤と、該操作盤の真後ろに位置したループ状の操作ハンドルとを機体に備え、作業者が前記操作ハンドルを操縦しつつ前記操作盤の後から連れ歩く歩行型除雪機において、
前記操作盤は、上面に、前記オーガスイッチを配置するオーガスイッチ配置面と、前記他の操作部材を配置する一般操作面とを有し、
前記オーガスイッチ配置面は、前記操作盤の後端部で前記一般操作面より下方へ窪んだ位置に、前記一般操作面よりも後下がりに傾斜して位置し、
前記オーガスイッチ配置面の前上端部には、前記一般操作面より上方へ突出した突出部が形成され、この突出部は、前記オーガスイッチ配置面の車幅方向全域にわたって延びていることを特徴とする歩行型除雪機。
【請求項２】
前記突出部の直前には、該突出部に沿った上開放の溝部が位置しており、
該溝部は、前記一般操作面よりも低く、少なくとも前記突出部の車幅方向全域にわたって形成され、
前記溝部の長手方向一端は、前記操作盤の車幅方向の端から側方へ開放されていることを特徴とする請求項１記載の歩行型除雪機。
【発明の詳細な説明】
【技術分野】
【０００１】
本発明は、機体にエンジンの動力を用いた作業部を有し、この作業部の駆動を電気式スイッチでオン・オフ操作する歩行型除雪機に関する。
【背景技術】
【０００２】
歩行型除雪機には、排雪板で雪を押し出すタイプのものと、オーガにより雪を掻き出すタイプのものがある。従来、オーガを用いた歩行型除雪機は、エンジンの動力をオーガに伝達するためにベルトテンションクラッチを用いるものが多い。この場合、テンションローラーが取り付けられたアームを、ケーブルで接続された手元のレバーによって倒すことで作動させ、クラッチをオンにする。このようなレバーは、操作荷重が大きく且つストロークも大きいため、操作性を高めるには改良の余地がある。この対策として、操作性を向上させた歩行型除雪機が提案されている（例えば、特許文献１（図３）参照。）。
【０００３】
この特許文献１に示される歩行型除雪機は、オーガ用クラッチのオン・オフの操作性を向上するために、オーガ用クラッチを電磁クラッチによって構成し、手元のレバーを押しボタン式スイッチに置き換えたものである。
【０００４】
歩行型除雪機の操作盤は、方向速度レバーやシュータ操作レバー等の除雪用の操作部材が配置され且つ上方を向いた一般操作面と、オーガ用クラッチの押しボタン式スイッチが配置され且つ一般操作面の操作者側端部から下方に折れ曲がったオーガスイッチ配置面とを備える。
【０００５】
特許文献１の歩行型除雪機は、機体から後方へ左右の操作ハンドルが延びている。作業者は、左右の操作ハンドルを掴んでいる両手の一方を、オーガスイッチ配置面にのばして、押しボタン式スイッチを押すことにより、オーガ用クラッチをオン・オフ操作する。手元近くにオーガスイッチがあるので、操作性が良い。
【０００６】
しかし、大型の歩行型除雪機では、操作性の観点から、機体の向きを操作するためのハンドルが左右に分離せずに、左右を繋ぐループ状の操作ハンドルが採用されているものがある。このようなループ状の操作ハンドルを、特許文献１に採用した場合には、操作盤の真後ろにループ状の操作ハンドルが位置するため邪魔になり、オーガスイッチが見づらい上、手を後方からオーガスイッチに移動させ難いので操作しづらい。
【先行技術文献】
【特許文献】
【０００７】
【特許文献１】特開２００７−３２２０９公報
【発明の概要】
【発明が解決しようとする課題】
【０００８】
本発明は、操作盤の真後ろに位置したループ状の操作ハンドルが採用された歩行型除雪機において、押しボタン式オーガスイッチを見易くすると共に、操作性を向上させることを課題とする。
【課題を解決するための手段】
【０００９】
請求項１に係る発明は、走行装置と、オーガと、該オーガをオン・オフ操作する押しボタン式のオーガスイッチと、該オーガスイッチ及び除雪用の他の操作部材を有した操作盤と、該操作盤の真後ろに位置したループ状の操作ハンドルとを機体に備え、作業者が前記操作ハンドルを操縦しつつ前記操作盤の後から連れ歩く歩行型除雪機において、前記操作盤は、上面に、前記オーガスイッチを配置するオーガスイッチ配置面と、前記他の操作部材を配置する一般操作面とを有し、前記オーガスイッチ配置面は、前記操作盤の後端部で前記一般操作面より下方へ窪んだ位置に、前記一般操作面よりも後下がりに傾斜して位置し、前記オーガスイッチ配置面の前上端部には、前記一般操作面より上方へ突出した突出部が形成され、この突出部は、前記オーガスイッチ配置面の車幅方向全域にわたって延びていることを特徴とする。
【００１０】
請求項２に係る発明は、突出部の直前には、該突出部に沿った上開放の溝部が位置しており、該溝部は、一般操作面よりも低く、少なくとも突出部の車幅方向全域にわたって形成され、溝部の長手方向一端は、操作盤の車幅方向の端から側方へ開放されていることを特徴とする。
【発明の効果】
【００１１】
請求項１に係る発明では、操作盤は、上面に押しボタン式のオーガスイッチを配置するオーガスイッチ配置面と、除雪用の他の操作部材を配置する一般操作面とを有する。オーガスイッチ配置面は、操作盤の後端部で一般操作面より下方へ窪んだ位置に、一般操作面よりも後下がりに傾斜して位置するので、オーガスイッチが見やすい。操作盤の真後ろに位置したループ状の操作ハンドルを機体に備えてあっても、手をのばす方向では操作ハンドルが邪魔にならないので、手を近づけやすく、押しボタン式のオーガスイッチの操作性を向上できる。また、オーガスイッチ配置面は傾斜しているので、雪が滑り落ちやすく、常に押しボタン式のオーガスイッチを見やすい状態に保つことができる。
【００１２】
オーガスイッチ配置面の前上端部は、一般操作面より上方へ突出してオーガスイッチ配置面の車幅方向全域にわたって延びる突出部が形成されている。突出部により、一般操作面から滑り落ちてくる雪をせき止め、オーガスイッチ配置面への雪の流入を抑制することができる。また、操作盤に雪が積もった状態でも、オーガスイッチの位置を手探りで探すことが容易である。
【００１３】
請求項２に係る発明では、突出部の直前には、該突出部に沿った上開放の溝部が位置している。該溝部は、一般操作面よりも低く、少なくとも突出部の車幅方向全域にわたって形成される。一般操作面側から流れ落ちてくる水は、溝部に流れ込む。また、溝部の長手方向一端は、操作盤の車幅方向の端から側方へ開放されているので、溝部に流れ込んだ水を操作盤の側方から排出することができる。
【図面の簡単な説明】
【００１４】
【図１】本発明に係る歩行型除雪機の側面図である。
【図２】図１に示された歩行型除雪機の操作盤を説明する斜視図である。
【図３】図２に示された操作盤の要部を説明する斜視図である。
【図４】図３の４矢視図である。
【図５】比較例の操作盤を説明する斜視図である。
【図６】図４の別態様を説明する図である。
【図７】図４のさらなる別態様を説明する図である。
【発明を実施するための形態】
【００１５】
本発明の実施の形態を添付図に基づいて以下に説明する。
なお、説明中、左右とは作業者を基準として左右、前後とは機体の進行方向を基準として前後を指す。
また、図中Ｆｒは前、Ｒｒは後、Ｌは作業者から見て左、Ｒは作業者から見て右、Ｕｐは上、Ｄｗは下を示している。
【実施例】
【００１６】
図１に示すように、歩行型除雪機１０は、機体１１の下部に備えたクローラフレーム１２にクローラ１３（以下、走行装置１３という。）を備え、クローラフレーム１２の後部にピボット軸１４を介して機体フレーム２１を上下スイング可能に連結し、この機体フレーム２１の前部に除雪部３０を取付け、機体フレーム２１にエンジン２２（動力源２２）を載せたクローラ式車両である。
【００１７】
エンジン２２は、機体１１の略中心に位置し、エンジン２２の下部には、オーガ高さ調節用油圧シリンダ２３が取付けられている。
【００１８】
除雪部３０は、エンジン２２を駆動源としたオーガ３１、ブロア３２、オーガハウジング３３及びシュータ３４を基本要素とする。エンジン２２の駆動力を、電磁クラッチ３５及び駆動軸３６を介して伝達することにより、オーガ３１を回転させて路上の雪を掻き集め、この雪をオーガ３１からブロア３２に送り込み、ブロア３２の遠心力でシュータ３４を通じて雪を投射することができる。
【００１９】
このようにして、エンジン２２の動力を負荷としてのオーガ３１やブロア３２へ伝える除雪用の動力伝達系統４１に、オーガスイッチ７１によりオン・オフする電磁クラッチ３５が設けられる。
【００２０】
一方、歩行型除雪機１０は、エンジン２２の動力を走行用の動力伝達系統４２を介して伝達し、走行装置１３を駆動させて路上を走行する。
【００２１】
機体１１の後部には、除雪用の動力伝達系統４１及び走行装置１３等を操作するための操作部６０が設けられている。
【００２２】
図１及び図２に示されるように、操作部６０は、操作盤６１と、この操作盤６１の真後ろに位置したループ状の操作ハンドル６２とを有する。ループ状の操作ハンドル６２は、機体１１の後端から後方へ延びた平面視略コ字状に形成されている。操作盤６１は、オーガ３１をオン・オフ操作する押しボタン式のオーガスイッチ７１と、このオーガスイッチ７１以外の複数の操作レバー、つまみ及びスイッチ等の他の操作部材とを有する。
【００２３】
操作盤６１は、上面６３に、オーガスイッチ７１を配置するオーガスイッチ配置面６４と、このオーガスイッチ７１を除き、除雪用の他の操作部材を配置する一般操作面６５とを有する。操作盤６１の前部には、エンジンスイッチ７５等が配置された上部操作面６６が形成されている。
【００２４】
上部操作面６６は、作業者から最も離れた位置にあり、作業中に使用頻度の少ないエンジンスイッチ７５及び表示部７６等が配置される。上部操作面６６は、比較的急な角度で傾斜しているので、作業者が前方を向いた時に遠目で見易く、表示部７６を配置するのに好適である。エンジンスイッチ７５を回してオンにすることで、エンジン２２を始動させることができる。
【００２５】
一般操作面６５に配置される他の操作部材には、例えば除雪用のシュータ方向調節レバー７３及びオーガハウジング調節レバー７４と、走行用の変速操作レバー７７及び旋回操作レバー７８，７９とを含む。一般操作面６５は、水平に対して若干前上がりに傾斜しているが、上部操作面６６より傾斜角が小さい。
【００２６】
シュータ方向調節レバー７３は、シュータ３４の方向を調節し、雪を投射する方向を変更する操作部材である。オーガハウジング調節レバー７４は、オーガハウジング３３の上下の高さ等を変更する操作部材である。変速操作レバー７７は、機体１１の走行状態又は作業状態を選択すると共に、前進の速度又は後退の速度を調整する操作部材である。
【００２７】
旋回操作レバー７８，７９は、走行装置１３の左右のクローラベルトの回転方向を制御する操作部材である。すなわち、２本の旋回操作レバー７８，７９が前方に倒れている場合には、機体１１は直進する。この状態から、左側の旋回操作レバー７８を後方に倒すと、機体１１は左に旋回し、右側の旋回操作レバー７９を後方に倒すと、機体１１は右に旋回する。すなわち、旋回操作レバー７８，７９が前方に倒れている場合には、走行装置１３はクラッチを介して繋がれている。
【００２８】
一方、旋回操作レバー７８，７９を後方に倒した場合には、倒した旋回操作レバー７８，７９に対応したクラッチが切られ、動力が伝達されなくなる。他方の旋回操作レバー７８，７９に対応したクラッチは接続された状態を維持し、機体１１を旋回させる。
【００２９】
オーガスイッチ配置面６４には、エンジン２２の駆動力をオーガ３１に伝達する電磁クラッチ３５のオン・オフを切り替える押しボタン式のオーガスイッチ７１が配置される。オーガスイッチ配置面６４には、オーガスイッチ７１のみが配置されているので、オーガスイッチ７１を目立たせることができる。なお、実施例では、オーガスイッチ配置面６４にオーガスイッチ７１のみ配置したが、これに限定されず、オーガスイッチ配置面６４にオーガスイッチ７１以外のスイッチを配置し、そのスイッチを目立たせても差し支えない。
【００３０】
オーガスイッチ配置面６４は、一般操作面６５よりも傾斜角が大きくなるような角度で後下がりに傾斜している。オーガスイッチ配置面６４の傾斜角を、一般操作面６５の傾斜角とは異なる角度にすることで、オーガスイッチ配置面６４を差別化することができる。そして、オーガスイッチ７１のみ、オーガスイッチ配置面６４に配置するので、スイッチの判別が容易であり、オーガスイッチ７１の差別化を図ることができる。
【００３１】
また、オーガスイッチ配置面６４は、作業者がオーガスイッチ７１を目視した時に目線と対向するように傾斜しているので、シュータ方向調節レバー７３等と比較して小さなボタンであっても、見つけやすい。このため、オーガ３１を頻繁にオン・オフ操作する場合であっても、操作性がよい。
【００３２】
さらに、オーガスイッチ配置面６４は、上面６３の中で作業者から最も近い位置にある上に、ループ状の操作ハンドル６２の近傍に位置するので、手が届きやすく、より操作性を向上させることができる。
【００３３】
また、操作部６０は、操作盤６１の真後ろに且つループ状の操作ハンドル６２の前上方に、走行装置１３のクラッチをオン・オフするループ状のクラッチレバー８１を有する。ループ状のクラッチレバー８１は、機体１１に揺動自在に設けられており、作業者がクラッチレバー８１を後下方に倒し、クラッチレバー８１と共に操作ハンドル６２を握った時に走行装置１３のクラッチをオンにする、いわゆるデッドマンスイッチである。
【００３４】
また、機体１１の後部には、操作ハンドル６２の下方に且つ操作ハンドル６２よりも後方に飛び出るようにループ状の停止レバー８２が揺動自在に設けられている。停止レバー８２は、作業者が接触して押された時に、歩行型除雪機１０を停止させるものである。ループ状のクラッチレバー８１及び停止レバー８２は、ループ状の操作ハンドル６２に概ね沿った平面視略コ字状の部材である。
【００３５】
以上に述べた歩行型除雪機１０の作用を次に述べる。図３及び図４に示されるように、オーガスイッチ配置面６４は、操作盤６１の後端部で一般操作面６５より下方へ窪ませた位置にある。一般操作面６５に降り積もった雪を払う際、オーガスイッチ配置面６４が窪んでいるので、オーガスイッチ配置面６４に雪を払う手が入らない。このため、押しボタン式のオーガスイッチ７１に手が接触することはなく、オーガスイッチ７１が押されることはない。
【００３６】
オーガスイッチ配置面６４は、シュータ方向調節レバー７３の後方に且つオーガハウジング調節レバー７４の右側方に位置し、一般操作面６５よりも後下がりに傾斜している。オーガスイッチ配置面６４は急角度で後下がりに傾斜するので、降雪時に、オーガスイッチ配置面６４に降った雪が流れ落ちる。
【００３７】
押しボタン式のスイッチは、他の操作レバーと比較して上面６３からの高さが低いため雪に埋もれやすいが、本発明では、オーガスイッチ７１を配置するオーガスイッチ配置面６４の雪は流れ落ち、オーガスイッチ配置面６４に雪が積もらない。結果、降雪時に、オーガスイッチ７１周辺の雪を頻繁に払う必要がなく、作業性が向上する。
【００３８】
オーガスイッチ配置面６４には、中央部にオーガスイッチ７１が配置され、オーガスイッチ７１の右側方にコ字状且つ縦長の保護部材９１が配置される。保護部材９１は、操作盤６１の幅方向から見て、略コ字状に形成されている。なお、保護部材９１の形状は、操作盤６１の幅方向から見て、Ｕ字状に形成されていても差し支えない。
【００３９】
保護部材９１により、オーガスイッチ７１を外側からの接触に対して保護することができる。保護部材９１は丸棒状の部材であるので、板状の部材に比較して剛性が高く、保護するための部品として好適である。
【００４０】
保護部材９１は、棒状の部材を曲げただけのものであり加工が容易であるので、部品の加工コストの低減を図ることができる。また、保護部材９１は、棒状の部材をコ字状に曲げたので、その間から雪が流れ落ちやすく、オーガスイッチ配置面６４に雪が残らないようにできる。保護部材９１の周辺に若干の雪が積もった場合でも、コ字状に曲げた棒状の部材の間から、指６７で容易に雪を除去することができる。
【００４１】
また、オーガスイッチ配置面６４は、機体１１の幅方向の右側端部に配置されている。このため、オーガスイッチ配置面６４の右側端は開放されており、右側端側からも雪を払い落とすことができる。
【００４２】
オーガスイッチ配置面６４の左端部９２から立ち壁９３が形成され、立ち壁９３の上端部９４は一般操作面６５に接続されている。立ち壁９３は、三角形に形成されている。このため、オーガスイッチ配置面６４と一般操作面６５との間には隙間がなく、操作盤６１の内側に雪が侵入することを防止できる。
【００４３】
オーガスイッチ配置面６４は、オーガスイッチ７１の左側に指６７が入る広さの指入れスペース９５を有する。この指入れスペース９５があることにより、オーガスイッチ７１と立ち壁９３との間に溜まった雪を、指６７で取り除くことができる。
【００４４】
また、操作盤６１は、一般操作面６５の後端から下方に折れ曲がる後端面６８を有する。オーガスイッチ配置面６４は、前上端部６４ａが一般操作面６５の中腹に溶接され、後下端部６４ｂが後端面６８の中腹に溶接されている。
【００４５】
オーガスイッチ配置面６４及び一般操作面６５は、後下がりに傾斜すると共に、下端が開放されているので、下端側から雪を容易に落とすことができる。特に、オーガスイッチ配置面６４は、一般操作面６５よりも起立方向に傾斜しているので、雪が下端から流れ落ちやすい。
【００４６】
オーガスイッチ配置面６４の前上端部６４ａには、操作盤６１（一般操作面６５）よりも上方へ突出させて、オーガスイッチ配置面６４の車幅方向全域にわたって延びる突出部６４ｃが形成されている。
【００４７】
この突出部６４ｃは、堰の役割を果たし、オーガスイッチ配置面６４の上方から一般操作面を伝って流れてくる雪や水をせき止め、オーガスイッチ配置面６４に流れ落ちないようにすることができる。また、オーガスイッチ配置面６４を一般操作面６５よりも起立方向に傾斜させ、突出部６４ｃを設けることで、操作盤６１に雪が積もった状態でも、オーガスイッチ７１の位置を手探りで容易に探すことができる。
【００４８】
突出部６４ｃは、板状の部材から形成されるオーガスイッチ配置面６４の前上端部６４ａを折り曲げただけであるので、容易に加工することでき、部品の加工コストを低減させることができる。
【００４９】
次に比較例に示す操作盤との違いを説明する。図５（ａ）は比較例に示す操作盤１００であり、操作盤１００は、一般操作面１０１と、一般操作面１０１の一部を窪ませて傾斜させたスイッチ配置面１０２と有する。スイッチ配置面１０２には、オーガスイッチ１０３のみが配置されている。オーガスイッチ１０３の左側方には立ち壁１０４が設けられ、オーガスイッチ１０３の右側方には、機体１０６の側壁１０５が延びている。
【００５０】
比較例の操作盤１００では、オーガスイッチ１０３の差別化は可能であるが、スイッチ配置面１０２に雪が留まると、オーガスイッチ１０３の右側方が塞がれており、右側方から雪を除去できない。また、一般操作面１０１とスイッチ配置面１０２との間に突出部がなく、一般操作面１０１からの雪や水がスイッチ配置面１０２に侵入することを防止できない。
【００５１】
図５（ｂ）はさらなる比較例に示す操作盤１１０であり、操作盤１１０は、一般操作面１１１と、一般操作面１１１の一部を窪ませて傾斜させたスイッチ配置面１１２とを有する。スイッチ配置面１１２には、オーガスイッチ１１３のみが配置されている。オーガスイッチ１１３の左側方には立ち壁１１４が設けられ、オーガスイッチ１１３の右側方は開放されている。
【００５２】
さらなる比較例に示す操作盤１１０では、スイッチの右側方から雪を払うことが可能であるが、オーガスイッチ１１３と立ち壁１１４との隙間が狭く指が入らない。このため、オーガスイッチ１１３と立ち壁１１４との間に溜まった雪を簡単には除去できず、好ましくない。また、一般操作面１０１とスイッチ配置面１０２との間に突出部がなく、一般操作面１０１からの雪や水がスイッチ配置面１１２に侵入することを防止できない。
【００５３】
この点、本発明では、図３及び図４に示されるように、オーガスイッチ７１と立ち壁９３との間には、指６７が入るスペースがあるので、オーガスイッチ７１と立ち壁９３との間にある雪の指６７による除去ができる。オーガスイッチ７１の右側方は開放されているので、オーガスイッチ配置面６４の右側端部からの雪の除去ができる。オーガスイッチ配置面６４の前上端部６４ａには、突出部６４ｃが形成されているので、一般操作面６５からオーガスイッチ配置面６４への雪や水の侵入の防止が可能である。オーガスイッチ配置面６４には、オーガスイッチ７１のみが配置されているので、オーガスイッチ７１の差別化ができる。
【００５４】
次に図４の別態様について説明する。なお、図４に示した構成と同一構成については同一符号を付け、詳細説明は省略する。図６に示されるように、オーガスイッチ配置面６４の前上端部６４ａには、突出部６４ｃが形成される。突出部６４ｃの車体前方側近接部に、突出部６４ａに沿った側方開放溝部６４ｄが設けられている。
【００５５】
一般操作面６５に沿って前上端部６４ａの上方から流れてくる水を、側方開放溝部６４ｄに落とし、車幅方向側方の開放部から機体１１の側方へ容易に流し落とすことができる。結果、オーガスイッチ配置面６４に水が流れてくることを防止できる。
【００５６】
次に図４のさらなる別態様について説明する。なお、図４に示した構成と同一構成については同一符号を付け、詳細説明は省略する。図７に示されるように、オーガスイッチ配置面６４の前上端部６４ａには、突出部６４ｃが形成される。突出部６４ｃは、板材が折りたたまれた状態の庇部６４ｅを有する。庇部６４ｅを形成することで、オーガスイッチ配置面６４を一定に保ったまま、一般操作面６５からの突出量を高くすることができる。
【００５７】
一般操作面６５に沿って前上端部６４ａの上方から流れてくる水が、突出部６４ｃを乗り越え難くすることができる。結果、オーガスイッチ配置面６４に水が流れてくることを防止できる。また、庇部６４ｅは、板材を折り曲げただけであるので、突出量の調整が容易である。
【００５８】
以上に述べた歩行型除雪機１０をまとめて以下に記載する。
図２〜図４に示されるように操作盤６１は、上面６３に押しボタン式のオーガスイッチ７１を配置するオーガスイッチ配置面６４と、他の操作部材を配置する一般操作面６５とを有する。オーガスイッチ配置面６４は、操作盤６１の後端部で一般操作面６５より下方へ窪んだ位置に、一般操作面６５よりも後下がりに傾斜して位置するので、押しボタン式のオーガスイッチ７１が見やすい。
【００５９】
操作盤６１の真後ろに位置したループ状の操作ハンドル６２を機体１１に備えてあっても、手をのばす方向では操作ハンドル６２が邪魔にならないので、手を近づけやすく、オーガスイッチ７１の操作性を向上できる。
【００６０】
また、オーガスイッチ配置面６４は傾斜しているので、雪が滑り落ちて払いやすく、常にオーガスイッチ７１を見やすい状態に保つことができる。
【００６１】
オーガスイッチ配置面６４の前上端部６４ａは、操作盤６１より上方へ突出してオーガスイッチ配置面６４の車幅方向全域にわたって延びる突出部６４ｃが形成されている。突出部６４ｃにより、一般操作面６５側から滑り落ちてくる雪をせき止め、オーガスイッチ配置面６４への雪の流入を抑制することができる。
【００６２】
図６に示されるように、突出部６４ｃの直前には、該突出部６４ｃに沿った上開放の側方開放溝部６４ｄが位置している。該側方開放溝部６４ｄは、一般操作面６５よりも低く、少なくとも突出部６４ｃの車幅方向全域にわたって形成される。一般操作面６５側から流れ落ちてくる水は、側方開放溝部６４ｄに流れ込む。また、側方開放溝部６４ｄの長手方向一端は、操作盤６１の車幅方向の端から側方へ開放されているので、側方開放溝部６４ｄに流れ込んだ水を操作盤６１の側方から排出することができる。
【００６３】
尚、本発明のオーガスイッチ配置面は、実施の形態では機体の車幅方向右側端部に配置したが、機体の車幅方向左側端部に配置しても差し支えない。また、本発明の歩行型除雪機は、操作盤がオーガスイッチ配置面、一般操作面及び上部操作面から構成されるものに適用したが、これに限定されず、上部操作面がない操作盤を有する歩行型除雪機に適用しても差し支えない。
【産業上の利用可能性】
【００６４】
本発明のオーガスイッチ配置面は、歩行型除雪機に好適である。
【符号の説明】
【００６５】
１０…歩行型除雪機、１１…機体、１３…走行装置（クローラ）、３１…オーガ、６１…操作盤、６２…ループ状の操作ハンドル、６３…操作盤の上面、６４…オーガスイッチ配置面、６４ａ…前上端部、６４ｃ…突出部、６４ｄ…側方開放溝部、６５…一般操作面、７１…押しボタン式オーガスイッチ、９１…保護部材、９３…立ち壁、９５…指入れスペース。
【図１】
2014227759.tif 000003
【図２】
2014227759.tif 000004
【図３】
2014227759.tif 000005
【図４】
2014227759.tif 000006
【図５】
2014227759.tif 000007
【図６】
2014227759.tif 000008
【図７】
2014227759.tif 000009